(57)【要約】【課題】洗剤投入ケース上部へと流れ込んだ液体が機外へ漏れることのない洗剤投入ケースを提供すること。【解決手段】洗剤投入ケース５３と、洗剤投入ケース５３の上方に位置する本体上面の天板部５４の一部を下方に傾斜させた傾斜部６７と、洗剤投入ケース５３の上部に傾斜部６７に対応して略上方に開口するとともに孔部９１を有する箱体６８とを備え、洗剤投入ケース５３の内部に設けられ孔部９１下方に位置する回収溝９２と、洗剤収容部２２，２３，２４の側方に前記回収溝９２と連通した回収通路９３を設けた構成としたことにより、傾斜部６７に液体等が流れこんだ際にも、孔部９１から回収溝９２および回収通路９３を経て機内に回収するため、液体が機外へと漏れ出る可能性を低減できる。【選択図】図４
2011056041.tif 000002
【特許請求の範囲】
【請求項１】
衣類を収納する回転ドラムと、液体洗剤、液体仕上剤、粉末洗剤等の洗剤収容部を有する洗剤投入ケースと、前記洗剤投入ケースを引き出し自在に収容する空間部を構成する有底の洗剤投入部枠体と、前記洗剤投入ケースの上方に位置する本体上面の天板部の一部を下方に傾斜させた傾斜部と、前記洗剤投入ケースの上部に前記傾斜部に対応して略上方に開口するとともに孔部を有する箱体とを備え、前記洗剤投入ケースの内部に設けられ前記孔部下方に位置する回収溝と、前記洗剤収容部の側方に前記回収溝と連通した回収通路を設け、前記傾斜部に液体等が流れこんだ際、前記孔部から前記回収溝および前記回収通路を経て、前記洗剤投入部枠体の空間部に回収するようにしたドラム式洗濯機。
【請求項２】
回収通路を洗剤収容部とした請求項１記載のドラム式洗濯機。
【請求項３】
天板部の周端部を上方に突出させた形状とした請求項１または２に記載のドラム式洗濯機。
【発明の詳細な説明】
【技術分野】
【０００１】
本発明は、略水平方向または傾斜方向の回転軸を中心に回転自在に配設した回転ドラム内で洗濯物を洗濯、すすぎ、脱水、乾燥するドラム式洗濯機に関するものである。
【背景技術】
【０００２】
従来のこの種のドラム式洗濯機は、図７のように構成していた。図７は従来のドラム式洗濯機の全体斜視図である。以下、その構成について説明する。
【０００３】
ドラム式洗濯機は、本体１０１前面を形成すると共に衣類出し入れ用の開口部１５９を有する前部枠体１５１と、前部枠体１５１に収容され、前方に引き出し自在とした洗剤投入ケース１５３とを備え、本体上面の天板部１５４は物を置きやすいよう一面平らに構成されている。（例えば、特許文献１参照）
また、従来の縦型洗濯機は、図８のように構成していた。図８の上側の図は、従来の縦型洗濯機の上面図、下側の図は、従来の縦型洗濯機の断面図である。以下、その構成について説明する。
【０００４】
洗濯機本体２０１上部に設けられ衣類等を投入する開口部２５９と、この開口部２５９を覆う開閉自在な天板２５４と、前記天板２５４の下方に設けられた操作板２５２とを備え、前記天板２５４は前記操作板２５２を覆うように形成するとともに、前記操作板２５２の表示部の上方に、天板２５４を閉じた状態でも表示部の確認が行えるよう孔部２９１を設けた構成としている。（例えば、特許文献２参照）
【先行技術文献】
【特許文献】
【０００５】
【特許文献１】特開２００６−０５５３８１号公報
【特許文献２】実開昭６４−４０４８４号公報
【発明の概要】
【発明が解決しようとする課題】
【０００６】
このような従来の構成では、洗濯機本体上面天板部に載せた液体洗剤がこぼれた場合や給水部位から水が漏れた場合など天板部から洗剤投入ケース上部へと液体が流れこんだ際、従来のドラム式洗濯機のように天板部が平らで端に突起などもない構成では、そのまま液体が機外へ漏れてしまうという課題があった。また、従来の縦型洗濯機のように天板部に開口穴を設けた構成とした場合にも、同様に、前記開口穴から前記操作板の上面を通って液体が機外へもれてしまうという課題があった。
【０００７】
本発明は上記従来の課題を解決するもので、洗剤投入ケース上部へと流れ込んだ液体が機外へ漏れることのないドラム式洗濯機を提供することを目的としている。
【課題を解決するための手段】
【０００８】
上記目的を達成するために本発明は、衣類を収納する回転ドラムと、液体洗剤、液体仕上剤、粉末洗剤等の洗剤収容部を有する洗剤投入ケースと、前記洗剤投入ケースを引き出し自在に収容する空間部を構成する有底の洗剤投入部枠体と、前記洗剤投入ケースの上方に位置する本体上面の天板部の一部を下方に傾斜させた傾斜部と、前記洗剤投入ケースの上部に前記傾斜部に対応して略上方に開口するとともに孔部を有する箱体とを備え、前記洗剤投入ケースの内部に設けられ前記孔部下方に位置する回収溝と、前記洗剤収容部の側方に前記回収溝と連通した回収通路を設けた構成としたものである。
【０００９】
これにより、前記傾斜部に液体等が流れこんだ際にも、前記孔部から前記回収溝および前記回収通路を経て、前記洗剤投入部枠体の空間部に回収するため、液体が機外へと漏れ出る可能性を低減できる。
【発明の効果】
【００１０】
本発明のドラム式洗濯機の構成によれば、本体上面の天板部より洗剤投入ケース上部へと流れ込んだ液体が機外へ漏れ出る可能性を低減できる。
【図面の簡単な説明】
【００１１】
【図１】（ａ）本発明の実施の形態１に係るドラム式洗濯機の全体斜視図（ｂ）同ドラム式洗濯機のＡ部の部分拡大図
【図２】同ドラム式洗濯機の断面図
【図３】同ドラム式洗濯機の洗剤投入ケースの要部断面図
【図４】同ドラム式洗濯機の洗剤投入ケースの要部斜視図
【図５】同ドラム式洗濯機の洗剤投入ケースの分解斜視図
【図６】本発明の実施の形態２に係るドラム式洗濯機の洗剤投入ケースの要部斜視図
【図７】従来のドラム式洗濯機の全体斜視図
【図８】（ａ）従来の縦型洗濯機の上面図（ｂ）同縦型洗濯機の断面図
【発明を実施するための形態】
【００１２】
第１の発明は、衣類を収納する回転ドラムと、液体洗剤、液体仕上剤、粉末洗剤等の洗剤収容部を有する洗剤投入ケースと、前記洗剤投入ケースを引き出し自在に収容する空間部を構成する有底の洗剤投入部枠体と、前記洗剤投入ケースの上方に位置する本体上面の天板部の一部を下方に傾斜させた傾斜部と、前記洗剤投入ケースの上部に前記傾斜部に対応して略上方に開口するとともに孔部を有する箱体とを備え、前記洗剤投入ケースの内部に設けられ前記孔部下方に位置する回収溝と、前記洗剤収容部の側方に前記回収溝と連通した回収通路を設けた構成としたことにより、傾斜部に液体等が流れこんだ際にも、孔部から回収溝および回収通路を経て、洗剤投入部枠体の空間部に回収するため、液体が機外へと漏れ出る可能性を低減できる。
【００１３】
第２の発明は、第１の発明において、回収通路を洗剤収容部としたものであり、これにより、前記傾斜部に液体等が流れこんだ際にも、孔部から回収溝および洗剤収容部を経て、洗剤投入部枠体の空間部に回収するため、液体が機外へと漏れ出る可能性を低減できるとともに、回収通路を洗剤収容部としたことで洗剤収容容器の小型化を図ることが出来る。
【００１４】
第３の発明は、第１または第２の発明において、天板部の周端部を上方に突出させた形状としたものであり、これにより、前記傾斜部に液体等が流れこんだ際にも、孔部から前記回収溝および回収通路を経て、洗剤投入部枠体の空間部に回収するため、液体が機外へと漏れ出る可能性を低減できるとともに、天板部の周端部を上方に突出させた形状としたことで、傾斜部以外の天板部に液体等が流れ込んだ際にも、液体が機外へと漏れ出ることを防ぎ、前記傾斜部へと流れ込むようになるため、天板部に流れ込んだ液体が機外へ漏れ出る可能性を低減できる。
【００１５】
以下、本発明の実施の形態について、図面を参照しながら説明する。なお、本実施の形態によって本発明が限定されるものではない。
【００１６】
（実施の形態１）
図１は、本発明の実施の形態１に係るドラム式洗濯機の全体斜視図および部分拡大図を
示し、図２は、同ドラム式洗濯機の断面図を示すものである。
【００１７】
図１の全体斜視図において、洗濯機本体５０の前部枠体５１の上部には操作表示部５２が配置され、その横方には洗剤投入ケース５３が前方に引き出し自在に配されるとともに、部分拡大図において、洗剤投入ケース５３は、その上部に設けられた箱体６８に指をかけて、手前方向に引き出し可能に構成している。
【００１８】
使用者は運転の開始に先立ち、洗剤投入ケース５３を引き出して内部に洗剤を入れ、必要に応じて操作表示部５２を操作することにより、希望する運転内容を設定し、運転スタート、一時停止等を行い、また運転の進行状態を操作表示部５２により確認、認識することができるようになっている。
【００１９】
図２の断面図において、ドラム式洗濯機の本体５０内に、水槽５６が宙吊り状態に配設され、水槽５６内に有底円筒形に形成された回転ドラム５７は、その軸心方向を正面側から背面側に向けて下向きに傾斜させ、かつ回転自在に軸支されている。
【００２０】
水槽５６の正面側には回転ドラム５７の開口端に通じる衣類出入口５８が形成され、本体５０の前面を構成する前部枠体５１の前部に形成された上向き傾斜面に設けられた開口部５８を開閉する扉５９を開くことにより、衣類出入口５８を通じて回転ドラム５７内の洗濯物を出し入れする。
【００２１】
回転ドラム５７の周面に水槽５６内に通じる多数の透孔６０が形成され、水槽５６の背面側に取り付けられたモータ６１によって回転ドラム５７は正転及び逆転方向に回転駆動され、洗濯、すすぎ、脱水の各行程が実行され、それぞれの行程が衣類に作用することとなる。水槽５６には、注水管路６２が配管接続され、給水弁６３の制御によって水槽５６内への注水がなされる。
【００２２】
洗剤投入ケース５３は、洗剤ケース収納部６５に収納時は天板部５４に上部が覆われた状態の洗剤投入部６４を構成し、洗剤投入部６４は、粉末合成洗剤を収容する粉末洗剤収容部２２と、液体洗剤や液体漂白剤を収容する液体洗剤収容部２３と、液体仕上剤を収容する液体仕上剤収容部２４とで構成されている。洗濯前にそれぞれの洗剤収容部に投入された洗剤は給水弁６３からの給水により希釈、溶解され、洗剤投入部６４下方に配した洗剤投入部枠体６６に配管した注水管路６２より水槽５６内部に洗剤液として供給される。
【００２３】
図３は、本発明の実施の形態に係るドラム式洗濯機の洗剤投入ケースの要部断面図を示し、図４は、同ドラム式洗濯機の洗剤投入ケースの要部斜視図を示し、図５は、本発明の実施の形態に係るドラム式洗濯機の洗剤投入ケースの分解斜視図を示している。図４の要部斜視図において、洗剤投入ケース５３は手前に引き出された状態を示す。
【００２４】
図３、図５において、洗剤投入ケース５３を収納する洗剤ケース収納部６５は、前部枠体５１の前面上部に配置され、前記洗剤ケース収納部６５の上部の天板部５４には、前記洗剤投入ケース５３が収納された状態で指が掛けやすいように傾斜部６７が形成されるとともに、天板部５４の周端部には上方に突出した突出部９０が形成されている。さらに、洗剤投入ケース５３の上部裏方には、前記傾斜部６７に連なるように、かつ傾斜部６７より先端部８３が上方に飛び出さないような後壁７４を有する略上方に開口した箱体６８が設けられている。
【００２５】
箱体６８には、底面に孔部９１が設けられるとともに、前記洗剤投入ケース５３には、洗剤投入部６４の前方側であって、孔部９１の下方と対応する位置に回収溝９２を設け、前記洗剤投入部６４の側方には前記回収溝９２と連通した回収通路９３を設けている。
【００２６】
箱体６８は、洗剤投入ケース５３の前板部である化粧板６９および、洗剤投入ケース５３を引き出した際に洗剤を投入保持する箇所である洗剤投入部６４と一体に、小ネジ８０等で箱体６８に形成したボス部７３に固着される。
【００２７】
洗剤投入ケース５３は、本体５０の前面側の一部を形成する化粧板６９を構成する部材と、洗剤投入部６４を構成する部材と、使用者の指を係着させる箱体６８を構成する部材の大きく３部材で構成され、いずれの部材もプラスチック樹脂成形品で製作される。
【００２８】
箱体６８は、後壁７４及び側壁７５により略上方に開口を形成するように箱状に構成している。
【００２９】
化粧板６９は、ツメ部７０、７１などにより前記洗剤投入部６４に係合され、また箱体６８は、爪片を化粧板６９の裏面に形成した係合穴８２に係合するとともに、同時に化粧板６９には締結部７２が一体形成され、箱体６８の下部に一体に設けられた垂直方向のボス部７３と洗剤投入部６４にこの締結部７２が狭持されて、下方より小ネジ８０で締結されている。
【００３０】
以上のように構成されたドラム式洗濯機において、以下その動作、作用を説明する。
【００３１】
箱体６８の底面に孔部９１が形成されるとともに、洗剤投入ケース５３には、孔部９１と対応する孔部９１の下方位置に回収溝９２が形成され、洗剤投入部６４の側方には回収溝９２と連通した回収通路９３が形成されたことにより、例えば誤って天板部５４に液体洗剤や水をこぼしたりして傾斜部６７に液体等が流れこんだ際にも、前記孔部９１から前記回収溝９２および回収通路９３を経て、洗剤投入部枠体６６の空間部６６ａに回収し、さらに注水管路６２から水槽５６へと導くこととなるので、液体が洗濯機本体５０の前面に流れ落ちたり機外へと漏れ出ることを防止できる。
【００３２】
また、天板部５４には、箱体６８の後壁７４の先端部８３に対応する位置に傾斜部６７が形成されるとともに、天板部５４の周端部には上方に突出した突出部９０を設けた構成としたことにより、傾斜部６７以外の天板部５４に液体等が流れ込んだ際にも、液体が機外へと漏れ出ることを防止し、傾斜部６７へと流れ込むこととなるため、天板部５４に流れ込んだ液体が機外へ漏れ出る可能性を低減できる。
【００３３】
（実施の形態２）
図６は、本実施の形態におけるドラム式洗濯機の洗剤投入ケースの要部斜視図であり、洗剤投入ケース５３が手前に引き出された状態を示す。なお、実施の形態１と同様の構成については説明を省略する。
【００３４】
図６において、洗剤投入ケース５３の上部裏方には、前記傾斜部６７に連なるように、かつ傾斜部６７より先端部８３が上方に飛び出さないような後壁７４を有する略上方に開口した箱体６８が設けられ、洗剤投入部６４には、粉末洗剤収容部２２の前方側に液体洗剤収容部２３および液体仕上剤収容部２４を並列配置する。また、前記液体洗剤収容部２３および液体仕上剤収容部２４の前方側には、孔部９１の下方と対応する位置に回収溝９２を設け、この回収溝９２は液体洗剤収容部２３と連通している。
【００３５】
以上のように構成されたドラム式洗濯機において、以下その動作、作用を説明する。
【００３６】
回収溝９２が、回収通路９３の働きをする液体洗剤収容部２３と連通する構成により、傾斜部６７に液体等が流れこんだ際にも、孔部９１から回収溝９２および液体洗剤収容部
２３を経て、洗剤投入部枠体６６の空間部６６ａに回収し、さらに注水管路６２から水槽５６へと導くこととなるので、液体が洗濯機本体５０の前面に流れ落ちたり機外へと漏れ出ることを防止できる。
【００３７】
さらに、回収通路９３を液体洗剤収容部２３として使用しているため、洗剤投入ケース５３の小型化が可能となる。
【００３８】
なお、本実施の形態では、液体洗剤収容部２３を回収通路としての働きをするように構成したが、液体仕上剤収容部をその働きをするように構成することも可能である。
【００３９】
また、本実施の形態においては、粉末洗剤収容部２２の前方側に液体洗剤収容部２３および液体仕上剤収容部２４を並列に設けたが、粉末洗剤収容部２２と液体洗剤収容部２３あるいは液体仕上剤収容部２４との配置を入れ替えた構成や、粉末洗剤収容部２２と液体洗剤収容部２３とを１つの収容部として構成しても同様の効果を得ることができる。
【産業上の利用可能性】
【００４０】
以上のように、本発明にかかるドラム式洗濯機は、天板部より洗剤投入ケース上部へと流れ込んだ液体が機外へ漏れ出る可能性を低減できるので、洗剤収容容器を備えたドラム式洗濯機等として有用である。
【符号の説明】
【００４１】
２２  粉末洗剤収容部（洗剤収容部）
２３  液体洗剤収容部（洗剤収容部）
２４  液体仕上剤収容部（洗剤収容部）
５１  前部枠体
５３  洗剤投入ケース
５４  天板部
５７  回転ドラム
６６  洗剤投入部枠体
６６ａ  空間部
６７  傾斜部
６８  箱体
９０  突出部
９１  孔部
９２  回収溝
９３  回収通路
【図１】
2011056041.tif 000003
【図２】
2011056041.tif 000004
【図３】
2011056041.tif 000005
【図４】
2011056041.tif 000006
【図５】
2011056041.tif 000007
【図６】
2011056041.tif 000008
【図７】
2011056041.tif 000009
【図８】
2011056041.tif 000010